(57)【要約】【課題】光ファイバに曲げ歪みや伸び歪みが加わることがなく、また、生産性が高く、設備コストを低減することができ、さらに、心線数が増加しても光ファイバ心線相互を容易に識別することができる、信頼性、経済性に優れた光ファイバケーブルを提供する。【解決手段】光ファイバ心線１２を複数本ＳＺ方向に撚り合わせてなる心線集合部１３と、この心線集合部１３に並行に配置された抗張力体１４ａ、１４ｂと、これらを一括被覆する外被１６とを備えた光ファイバケーブル１０１、および、光ファイバ心線を複数本集合しその外周に被覆を施したユニットを複数本集合してなるユニット集合部と、このユニット集合部に並行に配置された抗張力体と、これらを一括被覆する外被とを備え、複数のユニットおよび複数の光ファイバ心線はそれぞれ互いに識別可能に構成されている光ファイバケーブルである。【選択図】図１
2006171527.tif 000002
【特許請求の範囲】
【請求項１】
光ファイバ心線を複数本集合してなる心線集合部と、この心線集合部に並行に配置された抗張力体と、これらを一括被覆する外被とを備え、
前記複数の光ファイバ心線はＳＺ方向に撚り合わされていることを特徴とする光ファイバケーブル。
【請求項２】
前記心線集合部の周囲に緩衝材が配置されていることを特徴とする請求項１記載の光ファイバケーブル。
【請求項３】
光ファイバ心線を複数本集合しその外周に被覆を施したユニットを複数本集合してなるユニット集合部と、このユニット集合部に並行に配置された抗張力体と、これらを一括被覆する外被とを備え、
前記複数のユニットおよび各ユニット内の複数の光ファイバ心線はそれぞれ互いに識別可能に構成されていることを特徴とする光ファイバケーブル。
【請求項４】
前記各ユニット内の複数の光ファイバ心線はＳＺ方向に撚り合わされていることを特徴とする請求項３記載の光ファイバケーブル。
【請求項５】
前記ユニット集合部の周囲に緩衝材が配置されていることを特徴とする請求項３または４記載の光ファイバケーブル。
【発明の詳細な説明】
【技術分野】
【０００１】
本発明は、複数の光ファイバ心線を備えた光ファイバケーブルに関する。
【背景技術】
【０００２】
近年、インターネットなどの通信サービスの普及に伴い、通信事業者から一般加入者宅までの全区間を光ファイバで結ぶＦＴＴＨ（Fiber To The Home）が急速に拡大してきており、それに伴いかかる通信網の構築に必要な各種光ファイバケーブルの開発が続けられている。
【０００３】
図１５は、そのような光ファイバケーブルの一例を示したもので、架空布設された配線系ケーブルから加入者宅内へ引き込み配線するための架空光ドロップケーブルとして開発されたものである。同図に示すように、この光ファイバケーブルは、単心光ファイバ心線１を挟んでその上下に抗張力体２、２を配置し、さらにその上に支持線３を配置し、これらの外周にポリエチレンなどの熱可塑性樹脂を一括押出被覆して外被４を設けた構造を有する。このケーブルの支持線３と抗張力体２の間には、ケーブルを支持線部５とケーブル部６に分割する連結部（首部）７が設けられており、また、ケーブル部６の外被４の両側面のほぼ中央部分には、引き裂き用のノッチ８、８が設けられている。
【０００４】
また、図１６は、地下布設された配線系ケーブルから加入者宅内へ引き込み配線するための地下光ドロップケーブル、あるいは、屋内配線のためのいわゆる光インドアケーブルとして開発されたものであり、図１５に示す光ファイバケーブルのケーブル部６と同様に構成されている。
【０００５】
このような光ドロップケーブルにおいては、光ファイバ心線１を挟んで抗張力体２が配置されているため、温度変化による光ファイバの伝送損失の増加や、ケーブル部６あるいはケーブルを屋内配線する際の引張り応力による光ファイバの断線を防止することができ、また、引き裂き用のノッチ８が設けられているため、ケーブル端末処理などの際に外被４をケーブルの幅方向に引き裂いて内部の光ファイバ心線１を容易に取り出すことができる、などの特徴を有している。
【０００６】
ところで、これらの図１５や図１６に示すケーブルにおいては、ケーブル内に１本の単心光ファイバ心線１が収納されているが、ビルやマンションなどへの引き落としや構内配線のために、複数の光ファイバ心線を介在の周りに集合したユニットや、複数の光ファイバ心線を束ねたユニットなどを用いることにより、光ファイバ心数の多心化を図ったケーブルが開発されてきている（特許文献１〜３参照。）。
【０００７】
このような多心の光ファイバケーブルでは、ケーブルを曲げたときに光ファイバに局所的な歪みが加わりやすいため、光ファイバ心線を一方向に撚り合わせることが一般に行われている。特に、心線数が３〜４本を超えるような場合には、撚りを加えずに使用することは事実上不可能であった。
【０００８】
また、多心化した光ファイバケーブルでは、光ファイバ心線の接続作業性を良くするため、集合する光ファイバ心線として、表面を赤、緑、黄、青のように異なる色に着色した光ファイバ心線（着色心線）を用いることにより、各光ファイバ心線が相互に識別できるようにしている。
【０００９】
しかしながら、このような従来の多心の光ファイバケーブルにおいては、光ファイバ心線が一方向に撚り合わされていて光ファイバに余長が挿入されていない構造であるため、ケーブルを引張った際に光ファイバに伸び歪が加わるおそれがあった。また、光ファイバ心線を一方向に撚り合わせるためには、中乃至大規模な撚り合わせ設備が必要で（光ファイバ心線の繰出装置を回転させる必要がある）、生産性が低く、設備コストが高くなるという難点もあった。
【００１０】
一方、着色による光ファイバ心線相互の識別については、心線数が多くなると、使用する色数も多くなるため、識別に時間がかかり、場合によっては、識別ミスが発生するおそれがあった。特に、暗所においては、青、緑、紫などの暗色系の色に着色されたものは識別しにくく、識別ミスが発生しやすくなる。このため、着色した心線の配列順を特定することにより、使用する色数を減らすことも行われているが、光ファイバ心線の外径が非常に細い（通常、２５０μｍ）こともあり、配列を目視により識別することは容易ではない。
【特許文献１】特開２００３−１６１８６７号公報
【特許文献２】特開２００３−２２７９７７号公報
【特許文献３】特開２００３−２２７９８５号公報
【発明の開示】
【発明が解決しようとする課題】
【００１１】
上記のように、ビルやマンションなどへの引き落としや構内配線のために、複数の光ファイバ心線を備えた多心の光ファイバケーブルが開発されている。しかしながら、従来の多心の光ファイバケーブルにおいては、ケーブル配線時に光ファイバに伸び歪みが加わりやすい、中乃至大規模な撚り合わせ設備が必要で、生産性が低く、設備コストがかかる、心線数が多くなると光ファイバ心線間の識別性が低下するなど、特性面でもコスト面でも未だ改善すべき点があった。
【００１２】
本発明は、このような従来技術の課題に対処してなされたもので、ケーブルを曲げたり引張ったりした際に光ファイバに歪みが加わることがなく、また、大規模な撚り合わせ設備を必要としない、信頼性、経済性に優れた多心の光ファイバケーブルを提供することを目的とする。また、本発明は、心線数が増加しても光ファイバ心線相互を容易に識別することができる、光ファイバ心線間の識別性に優れた光ファイバケーブルを提供することを目的とする。
【課題を解決するための手段】
【００１３】
上記目的を達成するため、本願の第１の発明の光ファイバケーブルは、光ファイバ心線を複数本集合してなる心線集合部と、この心線集合部に並行に配置された抗張力体と、これらを一括被覆する外被とを備え、前記複数の光ファイバ心線はＳＺ方向に撚り合わされていることを特徴とするものである。
【００１４】
また、本願の第２の発明の光ファイバケーブルは、光ファイバ心線を複数本集合しその外周に被覆を施したユニットを複数本集合してなるユニット集合部と、このユニット集合部に並行に配置された抗張力体と、これらを一括被覆する外被とを備え、前記複数のユニットおよび複数の光ファイバ心線はそれぞれ互いに識別可能に構成されていることを特徴とするものである。
【発明の効果】
【００１５】
本発明の光ファイバケーブルによれば、光ファイバ心線がＳＺ方向に撚り合わされているため、光ファイバに曲げ歪みのみならず伸び歪みが加わるのも抑制することができる。また、一方向撚りに比べ小規模な撚り合わせ装置で済むため、生産性が高く、設備コストを低減することができる。さらに、光ファイバ心線を複数本集合したユニットをさらに複数本集合し、複数のユニットおよび各ユニット内の複数の光ファイバ心線をそれぞれ互いに識別可能に構成しているので、少ない色数で多数の光ファイバ心線の識別が可能となり、心線数が増加しても光ファイバ心線相互を容易に識別することができる。
【発明を実施するための最良の形態】
【００１６】
以下、本発明の実施の形態を図面を用いて説明する。
【００１７】
図１は本発明の光ファイバケーブルの第１の実施形態を示す断面図、図２はその要部を拡大して示す断面図である。
【００１８】
図１および図２に示すように、本実施形態の光ドロップケーブル１０１は、介在、例えばポリエチレンなどからなる介在１１を中心に、その周りに単心光ファイバ心線１２を複数本（図１では、１２本）集合してなる心線集合部１３と、この心線集合部１３の上下に間隔をおいて並行配置された鋼線あるいはＦＲＰ（繊維強化プラスチック）などからなる第１の抗張力体１４ａおよび第２の抗張力体１４ｂと、さらに第１の抗張力体１４ａの上方に間隔をおいて並行配置された鋼線などからなる支持線１５と、これらの外周に一括して押出被覆された熱可塑性樹脂からなる外被１６とを備えている。外被１６の第１の抗張力体１４ａと支持線１５との間には、ケーブルを、支持線１５を含む支持線部１７と、心線集合部１３と第１および第２の抗張力体１４ａ、１４ｂを含むケーブル部１８に分割し、かつ、支持線部１７をケーブル部１８から分離し易くするため、首部１９が設けられている。また、ケーブル部１８の外被１６の両側面のほぼ中央には、引き裂き用のノッチ２０が設けられている。
【００１９】
そして、この実施の形態では、単心光ファイバ心線１２は介在１１の周りにＳＺ方向に撚り合わされて集合されており、また、単心光ファイバ心線１２として、表面に着色層が設けられた着色心線が使用されている。着色層は、心線毎に赤、緑、紫、黄……のように異なる色に着色されており、これにより各単心光ファイバ心線１２相互の識別ができるようになっている。
【００２０】
なお、単心光ファイバ心線１２の周りには必要に応じてさらに抑え巻きを施すようにしてもよい。また、外被１６を構成する熱可塑性樹脂としては、ポリエチレン、ポリプロピレン、エチレン−酢酸ビニル共重合体、エチレン−エチルアクリレート共重合体、エチレン−プロピレン共重合体などが挙げられる。これらの樹脂には、難燃剤や着色剤などが配合されていてもよい。
【００２１】
本実施形態の光ファイバケーブル１０１においては、単心光ファイバ心線１２がＳＺ方向に撚り合わされているので、ケーブルを曲げたときに光ファイバに局所的な曲げ歪みが加わることがないだけでなく、ケーブルを引張った際に光ファイバに伸び歪みが加わることも抑制することができる。また、単心光ファイバ心線１２をＳＺ方向に撚り合わせる場合、従来の一方向撚りの場合のように光ファイバ心線の繰出装置を回転させる設備を必要としないため、従来に比べ、生産性が高く、設備コストを低減することができる。
【００２２】
図３は、本発明の第２の実施形態に係る断面図であり、図１に共通する部分には同一符号を付し、重複する説明を省略する。
【００２３】
本実施形態に係る光ファイバケーブル１０２は、地下に配線されるいわゆる地下ドロップケーブル、あるいは、地下または架空光ドロップケーブルにより引き込まれた後に屋内に配線するための光インドアケーブルとして使用されるものであり、支持線部１７および首部１９を持たない点を除いて、図１に示す第１の実施形態と同様に構成されている。
【００２４】
すなわち、ポリエチレンなどからなる介在１１を中心に、その周りに単心光ファイバ心線１２を複数本（図３では、１２本）集合してなる心線集合部１３と、この心線集合部１３の上下に間隔をおいて並行配置された鋼線あるいはＦＲＰなどからなる第１の抗張力体１４ａおよび第２の抗張力体１４ｂと、これらの外周に一括して押出被覆された熱可塑性樹脂からなる外被１６とを備え、外被１６の両側面のほぼ中央には引き裂き用のノッチ２０が設けられている。そして、単心光ファイバ心線１２は介在１１の周りにＳＺ方向に撚り合わされて集合されており、また、単心光ファイバ心線１２として、表面に着色層が設けられた着色心線が使用されている。各単心光ファイバ心線１２の着色層は、それぞれ赤、緑、紫、黄……のように異なる色に着色されており、これにより各単心光ファイバ心線１２相互の識別ができるようになっている。
【００２５】
このように構成される光ファイバケーブル１０２においても、第１の実施形態の場合と同様、単心光ファイバ心線１２がＳＺ方向に撚り合わされているので、ケーブルを曲げたときに光ファイバに局所的な曲げ歪みが加わることがないだけでなく、ケーブルを引張った際に光ファイバに伸び歪みが加わることも抑制することができる。また、単心光ファイバ心線１２をＳＺ方向に撚り合わせる場合、従来の一方向撚りの場合のように光ファイバ心線の繰出装置を回転させる設備を必要としないため、従来に比べ、生産性が高く、設備コストを低減することができる。
【００２６】
なお、本発明において、集合する単心光ファイバ心線１２の数は複数本、すなわち２本以上であれば特に限定されるものではない。また、上記の各実施形態では、心線集合部１３が単心光ファイバ心線１２を介在１１を中心に撚り合わせた構造となっているが、図４に示すように、複数の単心光ファイバ心線１２を単に集合しＳＺ撚りした構成としてもよい。また、図５に例示するように、単心光ファイバ心線１２に代えて、光ファイバテープ心線１２Ａを使用してもよい。図５に示す例では、複数本（図５では、４本）の光ファイバ素線を並列させ、その外周に一括被覆を施した光ファイバテープ心線１２Ａを複数枚（図５では、３枚）積層しＳＺ方向に撚り合わせて心線集合部１３が構成されている。
【００２７】
さらに、本発明においては、図６乃至図８に示すように、撚り合わせた単心光ファイバ心線１２あるいは光ファイバテープ心線１２Ａの周囲に緩衝材２１を配置し、その外側に外被１６を設けるようにしてもよい。図６、図７および図８は、それぞれ図２、図４および図５に示す例において、心線集合部１３の周囲に緩衝材２１を配置したものである。緩衝材２１を配置することにより、外部応力による光ファイバの伝送特性の低下を防止することができる。なお、緩衝材２１には、ポリプロピレン紐、アラミド繊維、ポリエステル紐のようなヤーンや紐状体などを用いることができる。
【００２８】
またさらに、以上説明した例では、いずれも２本の抗張力体１２ａ、１２ｂを１本ずつ、心線集合部１３を挟んでその上下に間隔をおいて並行に配置しているが、単心光ファイバ心線１２または光ファイバテープ心線１２Ａの上下のいずれか一方にのみ配置するようにしてもよい。
【００２９】
図９および図１０は、それぞれ本発明の光ファイバケーブルの第３および第４の実施形態を示す断面図であり、図１などに共通する部分は同一符号とした。
【００３０】
第３の実施形態の光ファイバケーブル１０３は、図９に示すように、複数本（図９では、４本）の光ファイバ素線を並列させ、その外周に一括被覆を施した光ファイバテープ心線１２Ａを複数枚（図９では、１０枚）集合して心線集合部１３とし、その周囲に緩衝材２１を配置するとともに、その外側にポリエチレンなどの熱可塑性樹脂からなる外被１６を施した構造を有する。外被１６内には、それぞれ２本の鋼線あるいはＦＲＰなどからなる抗張力体１４ａ、１４ｂと、ポリエステル紐などからなる引き裂き紐２２ａ、２２ｂが縦添えして埋め込まれており、引き裂き紐２２ａ、２２ｂが埋め込まれている部分の外被１６の外周には、その埋め込み位置を示す凸部２３が設けられている。そして、この実施形態においては、心線集合部１３を構成する光ファイバテープ心線１２Ａが、積層された状態でＳＺ方向に撚り合わされている。図９の例では、光ファイバテープ心線１２Ａを厚さ方向に６枚積層し、さらにその両側面に光ファイバテープ心線１２Ａを各２枚ずつ積層集合した状態でＳＺ方向に撚り合わされている。
【００３１】
また、第４の実施形態の光ファイバケーブル１０４は、図１０に示すように、第３の実施形態の光ファイバケーブル１０３の外被１６に鋼線などからなる支持線１５を取り付けた構造を有する。支持線１５の外周には外被１６と一体に設けられた被覆２４が設けられており、被覆２４と外被１６の間には首部１９が設けられている。
【００３２】
このように構成される第３および第４の実施形態の光ファイバケーブル１０３、１０４においても、光ファイバテープ心線１２ＡがＳＺ方向に撚り合わされているので、ケーブルを曲げたときに光ファイバに局所的な曲げ歪みが加わることがないだけでなく、ケーブルを引張った際に光ファイバに伸び歪みが加わることも抑制することができる。また、単心光ファイバ心線１２をＳＺ方向に撚り合わせる場合、従来の一方向撚りの場合のように光ファイバ心線の繰出装置を回転させる設備を必要としないため、従来に比べ、生産性が高く、設備コストを低減することができる。
【００３３】
図１１は本発明の光ファイバケーブルの第５の実施形態の要部構成を示す断面図である。
【００３４】
本実施形態に係る光ファイバケーブルは、前述した第１および第２の各実施形態において、心線集合部１３が図１１に示すように構成されている以外は、前述した第１および第２の各実施形態と同様に構成されている。以下、その相違点を中心に説明する。
【００３５】
図１１に示すように、本実施形態においては、心線集合部１３が、単心光ファイバ心線１２を複数本（図１１では、５本）集合しその外周に被覆２５を施したユニット２６複数本（図１１では、３本）で構成されている。複数のユニット２６および各ユニット内の複数の単心光ファイバ心線１２は、いずれもＳＺ方向に撚り合わされている。ユニット２６の被覆２５は、ポリエチレンなどの熱可塑性樹脂による押出被覆や樹脂テープの巻き付けなどにより構成される。樹脂テープの巻き付け方法は、横巻きおよび縦添えのいずれであってもよい。
【００３６】
そして、この実施の形態では、各ユニット２６毎に、単心光ファイバ心線１２として、表面にそれぞれ異なる色に着色された着色層を有する着色心線が使用されており、これにより、各ユニット２６内で複数の単心光ファイバ心線１２相互の識別ができるようになっている。また、各ユニット２６を構成する各被覆２５も赤、青、黄……のように異なる色に着色されており、これにより、各単心光ファイバ心線１２はユニット２６間でも識別できるようになっている。
【００３７】
このように構成される光ファイバケーブルにおいては、単心光ファイバ心線１２を複数本集合したユニット２６をさらに複数本集合し、複数のユニット２６間および各ユニット２６内の複数の単心光ファイバ心線１２間をそれぞれ識別可能に構成しているので、少ない色数で単心光ファイバ心線１２の識別を行うことができ、心線数が増加しても単心光ファイバ心線１２相互を容易に識別することができる。
【００３８】
また、複数のユニット２６および各ユニット２６内の複数の単心光ファイバ心線１２は、いずれもＳＺ方向に撚り合わされているので、ケーブルを曲げたときに光ファイバに局所的な曲げ歪みが加わることがないだけでなく、ケーブルを引張った際に光ファイバに伸び歪みが加わることも抑制することができる。また、ユニット２６や単心光ファイバ心線１２をＳＺ方向に撚り合わせる場合、一方向撚りの場合のような大規模な設備を必要としないため、生産性が高く、設備コストが大きく増大することもない。
【００３９】
なお、図１１の例では、ユニット２６間の識別をユニット２６の被覆２５に施した着色によって可能にしているが、例えば被覆２５に着色ラインを施すなど、着色は被覆全体でなく部分的に施されていてもよい。また、色彩によらず、形状や、形状と色彩の組み合わせにより識別可能な構成としてもよい。図１２に示す（ａ）〜（ｅ）は、形状により識別可能な指標の例を示したものである。
【００４０】
また、ユニット２６の数や、各ユニット２６内に集合する単心光ファイバ心線１２の数も、特に上記の例に限定されるものではなく、さらに、図１４に示すように、複数のユニット２６を合成繊維や合成樹脂からなる介在２７を中心に集合する構成としてもよい。図１４に示す例では、単心光ファイバ心線１２を３本集合しその外周に被覆２５を施したユニット２６を５本、介在２７を中心に集合した構成となっている。また、図１３に例示するように、単心光ファイバ心線１２に代えて、光ファイバテープ心線１２Ａを使用してもよい。図１３に示す例では、複数本（図１３では、２本）の光ファイバ素線を並列させ、その外周に一括被覆を施した光ファイバテープ心線１２Ａを複数枚（図１３では、４枚）集合しＳＺ方向に撚り合わせて心線集合部１３が構成されている。
【実施例】
【００４１】
次に、本発明の実施例を具体的に記載するが、本発明は以下の実施例に何ら限定されるものではない。
【００４２】
実施例１
図１に示す構造の光ドロップケーブルを製造した。単心光ファイバ心線１２には、外径０．２５ｍｍで着色層の色がそれぞれ異なる８種の着色心線を用い、介在１１には、外径０．７ｍｍのポリエチレン介在を用い、第１および第２の抗張力体１４ａ、１４ｂには、外径０．４ｍｍのアラミド−ＦＲＰを用い、支持線１５には、外径１．２ｍｍの亜鉛めっき単鋼線を用いた。
８種の着色心線を、介在１１の周囲にＳＺ撚りしつつ、２本の抗張力体１４ａ、１４ｂと、支持線１５とを、図１に示すように平行に並べた状態で押出し機に導入し、その外周に黒色難燃ポリエチレンを一括押出被覆して、全体の幅が約３ｍｍ、同高さが約７ｍｍの光ファイバケーブルを製造した。
【００４３】
実施例２〜５
外径０．２５ｍｍで着色層の色が異なる２種、４種、８種および１２種の着色心線をそれぞれ用意し、図４に示すような心線集合部１３を有する光ファイバケーブルを製造した。第１および第２の抗張力体１４ａ、１４ｂおよび支持線１５には、実施例１と同様のものを用いた。
２種、４種、８種および１２種の着色心線をＳＺ撚りしつつ、それぞれ２本の抗張力体１４ａ、１４ｂと、支持線１５とを、図１に示すように平行に並べた状態で押出し機に導入し、その外周に黒色難燃ポリエチレンを一括押出被覆して２心、４心、８心および１２心の各光ファイバケーブルを製造した。得られた２心光ファイバケーブルは、全体の幅が約２ｍｍ、同高さが約５ｍｍ、４心光ファイバケーブルは、全体の幅が約２ｍｍ、同高さが約５ｍｍ、８心光ファイバケーブルは、全体の幅が約２ｍｍ、同高さが約６ｍｍ、１２心光ファイバケーブルは、全体の幅が約２ｍｍ、同高さが約６ｍｍであった。
【００４４】
実施例６
幅０．６ｍｍ、厚さ０．４ｍｍで着色層の色が異なる２種の着色２心光ファイバテープ心線を用意し、図５に示すような心線集合部１３を有する光ファイバケーブルを製造した。第１および第２の抗張力体１４ａ、１４ｂおよび支持線１５には、実施例１と同様のものを用いた。
２種の着色光ファイバテープ心線を積層しＳＺ撚りしつつ、２本の抗張力体１４ａ、１４ｂと、支持線１５とを、図１に示すように平行に並べた状態で押出し機に導入し、その外周に黒色難燃ポリエチレンを一括押出被覆して、全体の幅が約３ｍｍ、同高さが約６ｍｍの光ファイバケーブルを製造した。
【００４５】
実施例７〜９
幅１．１ｍｍ、厚さ０．３ｍｍで着色層の色が異なる２種、３種および４種の４心着色光ファイバテープ心線をそれぞれ用意し、図５に示すような心線集合部１３を有する光ファイバケーブルを製造した。第１および第２の抗張力体１４ａ、１４ｂおよび支持線１５には、実施例１と同様のものを用いた。
２種、３種および４種の着色光ファイバテープ心線を積層しＳＺ撚りしつつ、それぞれ２本の抗張力体１４ａ、１４ｂと、支持線１５とを、図１に示すように平行に並べた状態で押出し機に導入し、その外周に黒色難燃ポリエチレンを一括押出被覆して８心、１２心および１６心の光ファイバケーブルを製造した。得られた８心光ファイバケーブルは、全体の幅が約２ｍｍ、同高さが約６ｍｍ、１２心光ファイバケーブルは、全体の幅が約３ｍｍ、同高さが約７ｍｍ、１６心光ファイバケーブルは、全体の幅が約４ｍｍ、同高さが約７ｍｍであった。
【００４６】
得られた各光ファイバケーブルに−３０℃〜＋７０℃の温度サイクルを３回加え、伝送損失の増加の有無を調べたところ、いずれも伝送損失増加が０．０４ｄＢ／ｋｍ以下であり、良好な特性を有していた。
【図面の簡単な説明】
【００４７】
【図１】本発明の光ファイバケーブルの第１の実施形態を示す断面図である。
【図２】図１に示す光ファイバケーブルの要部を拡大して示す断面図である。
【図３】本発明の光ファイバケーブルの第２の実施形態を示す断面図である。
【図４】本発明の第１および第２の実施形態の変形例を示す断面図である。
【図５】本発明の第１および第２の実施形態の変形例を示す断面図である。
【図６】本発明の第１および第２の実施形態の変形例を示す断面図である。
【図７】本発明の第１および第２の実施形態の変形例を示す断面図である。
【図８】本発明の第１および第２の実施形態の変形例を示す断面図である。
【図９】本発明の光ファイバケーブルの第３の実施形態を示す断面図である。
【図１０】本発明の光ファイバケーブルの第４の実施形態を示す断面図である。
【図１１】本発明の光ファイバケーブルの第５の実施形態の要部を示す断面図である。
【図１２】本発明の第５の実施形態におけるユニットの識別のための指標例を示す図である。
【図１３】本発明の第５の実施形態の変形例を示す断面図である。
【図１４】本発明の第５の実施形態の変形例を示す断面図である。
【図１５】従来の光ファイバケーブルの一例を示す断面図である。
【図１６】従来の光ファイバケーブルの他の例を示す断面図である。
【符号の説明】
【００４８】
１２…単心光ファイバ心線、１２Ａ…光ファイバテープ心線、１３…心線集合部、１４ａ…第１の抗張力体、１４ｂ…第２の抗張力体、１５…支持線、１６…外被、２１…緩衝材、２５…被覆、２６…ユニット、１０１〜１０４…光ファイバケーブル
【図１】
2006171527.tif 000003
【図２】
2006171527.tif 000004
【図３】
2006171527.tif 000005
【図４】
2006171527.tif 000006
【図５】
2006171527.tif 000007
【図６】
2006171527.tif 000008
【図７】
2006171527.tif 000009
【図８】
2006171527.tif 000010
【図９】
2006171527.tif 000011
【図１０】
2006171527.tif 000012
【図１１】
2006171527.tif 000013
【図１２】
2006171527.tif 000014
【図１３】
2006171527.tif 000015
【図１４】
2006171527.tif 000016
【図１５】
2006171527.tif 000017
【図１６】
2006171527.tif 000018